(57)【要約】【課題】残留する異臭ガスを吸着除去して脱臭し、使用者に不快感を与えないガス溶存水生成器を提供することにある。【解決手段】水１１を貯留可能なタンブラー２０と、前記タンブラー２０に着脱可能な蓋体３１と、前記蓋体３１の天井面から下方側に延在し、かつ、前記水１１に浸漬可能な水素水生成機本体４０と、を備えた水素水生成器であって、前記蓋体３１の天井面に脱臭剤３８を設けた。【選択図】図６
2017170417.tif 000002
【特許請求の範囲】
【請求項１】
原水を貯留可能なハウジング本体と、
前記ハウジング本体に着脱可能な蓋体と、
前記蓋体の天井面から下方側に延在し、かつ、前記原水に浸漬可能なガス溶存水生成機本体と、を備えたガス溶存水生成器であって、
前記蓋体の天井面に脱臭剤を設けたことを特徴とするガス溶存水生成器。
【請求項２】
前記蓋体の天井面と、前記蓋体の天井面に組み付けた脱落防止部材とで、脱臭剤を挟持したことを特徴とする請求項１に記載のガス溶存水生成器。
【請求項３】
前記脱落防止部材が、所定ピッチの格子形状を有することを特徴とする請求項２に記載のガス溶存水生成器。
【請求項４】
前記脱臭剤がシート状であることを特徴とする請求項１ないし３のいずれか１項に記載のガス溶存水生成器。
【請求項５】
水素水を生成することを特徴とする請求項１ないし４のいずれか１項に記載のガス溶存水生成器。
【請求項６】
オゾン水を生成することを特徴とする請求項１ないし４のいずれか１項に記載のガス溶存水生成器。
【発明の詳細な説明】
【技術分野】
【０００１】
本発明はガス溶存水生成器、特に、電気分解によって発生した異臭ガスを、吸着除去して脱臭できるガス溶存水生成器に関する。
【背景技術】
【０００２】
従来、ガス溶存水生成器としては、特許文献１の図３に示すように、キャップ部Ａに安全弁２を取り付けた水素水生成器１がある。前記安全弁２は、原水を電気分解した際に発生したガスのうち、前記原水に溶解せずに胴体部Ｂ内に残留する未溶解ガスのガス圧が上昇した場合に、前記未溶解ガスを外部に放出するために設けられている。前記未溶解ガスとしては、例えば、水素ガス，酸素ガスおよびオゾンガス等が挙げられる。
【先行技術文献】
【特許文献】
【０００３】
【特許文献１】実用新案登録第３１７５９９７号公報
【発明の概要】
【発明が解決しようとする課題】
【０００４】
しかしながら、前記水素水生成器１では、ガス圧が低く、未溶解ガスが外部に放出されない場合、あるいは、未溶解ガスが外部に放出された後も、その一部が胴体部Ｂ内に残留する場合がある。そのような場合に、使用者がキャップ部Ａを開けたとき、残留する未溶解ガスのうち、例えば、オゾンガスは微量であっても臭気が強い異臭ガスであるので、使用者に不快感を与えるという問題点がある。
本発明は、前記問題点に鑑み、残留する異臭ガスを吸着して脱臭し、使用者に不快感を与えないガス溶存水生成器を提供することを課題とする。
【課題を解決するための手段】
【０００５】
本発明に係るガス溶存水生成器は、前記課題を解決すべく、
原水を貯留可能なハウジング本体と、
前記ハウジング本体に着脱可能な蓋体と、
前記蓋体の天井面から下方側に延在し、かつ、前記原水に浸漬可能なガス溶存水生成機本体と、を備えたガス溶存水生成器であって、
前記蓋体の天井面に脱臭剤を設けた構成としてある。
【発明の効果】
【０００６】
本発明によれば、ガス溶存水生成機本体による電気分解で原水から発生したガスのうち、原水に溶解せずにハウジング本体内に残留する未溶解の異臭ガスを、脱臭剤が吸着して脱臭する。このため、使用者が蓋体を開けた場合に、使用者が異臭ガスを嗅ぐことがなく、使用者に不快感を与えないガス溶存水生成器が得られる。
【０００７】
本発明の実施形態としては、前記蓋体の天井面と、前記蓋体の天井面に組み付けた脱落防止部材とで、脱臭剤を挟持してもよい。
本実施形態によれば、脱臭剤が原水の中に落下することを防止でき、脱臭効果を長期間、持続できる。
【０００８】
本発明の他の実施形態としては、前記脱落防止部材が、所定ピッチの格子形状を有していてもよい。
本実施形態によれば、通気性を妨げることなく、脱臭できる。
【０００９】
本発明の別の実施形態としては、前記脱臭剤はシート状であってもよい。
本実施形態によれば、脱臭剤を設置するために大きな設置スペースを必要とせず、コンパクトなガス溶存水生成器が得られる。
【００１０】
本発明の異なる実施形態としては、水素水を生成し、または、オゾン水を生成するガス溶存水生成器に適用してもよい。
本実施形態によれば、使用者に不快感を与えない汎用性のガス溶存水生成器が得られるという効果がある。
【図面の簡単な説明】
【００１１】
【図１】本発明に係るガス溶存水生成器の第１実施形態を水素水生成器に適用した場合を示す斜視図である。
【図２】図１で示した水素水生成器の分解斜視図である。
【図３】図１で示した水素水生成器に水を注入した場合の正面図である。
【図４】図１で示した水素水生成器に水を注入した場合の背面図である。
【図５】図１で示した水素水生成器に水を注入した場合の左側面図である。
【図６】図５のVI-VI断面図である。
【図７】図６の部分拡大図である。
【図８】図３のVIII-VIII線断面図である。
【図９】図３のIX-IX線断面図である。
【図１０】図９の動作前の部分拡大図である。
【図１１】図９の動作後の部分拡大図である。
【図１２】図１１に示したシール栓の右側面図である。
【図１３】図１１に示したシール栓の背面図である。
【図１４】図１３のXIV-XIV線断面図である。
【図１５】第２実施形態に係るシール栓の右側面図である。
【図１６】図１５に示したシール栓の背面図である。
【図１７】図１５のXVII-XVII線断面図である。
【図１８】第３実施形態に係るシール栓の右側面図である。
【図１９】図１８に示したシール栓の背面図である。
【図２０】図１８のXX-XX線断面図である。
【図２１】第４実施形態に係るシール栓の右側面図である。
【図２２】図２１に示したシール栓の背面図である。
【図２３】図２１のXXI-XXI線断面図である。
【発明を実施するための形態】
【００１２】
本発明に係るガス溶存水生成器の実施形態を、図１ないし図２３の添付図面に従って説明する。
第１実施形態に係るガス溶存水生成器は、図１ないし図１４に示すように、水素水生成器１０に適用した場合である。
前記水素水生成器１０は、図２に示すように、タンブラー２０と、水素水生成機３０とで構成されている。
【００１３】
前記タンブラー２０は透明材で形成され、図６に示すように、外容器２１と内容器２５とで二重構造を形成している。
外容器２１は、その内側の底面に雌ねじ部２２を形成してあるとともに、その外側の底面に滑り止めのゴムシート２３を固定してある。一方、内容器２５は前記外容器２１に収納可能な外形形状を有し、その外側の底面に雄ねじ部２６を形成してある。また、内容器２５の内周面の開口縁部には雌ねじ部２７が形成されている。
【００１４】
そして、前記外容器２１内に内容器２５を嵌合し、前記外容器２１の雌ねじ部２２に前記内容器２５の雄ねじ部２６を螺合一体化する。これにより、前記外容器２１の開口縁部と前記内容器２５の外周縁部とでシール部材２８を挟持する。この結果、図６および図８に示すように、前記外容器２１と前記内容器２５との間に、写真，化粧シート等を挿入できる筒状隙間２９が形成される。
【００１５】
前記水素水生成機３０は、図２に示すように、前記タンブラー２０に着脱可能に螺合する蓋体３１と、前記蓋体３１から下方に延在する水素水生成機本体４０とで構成されている。
【００１６】
前記蓋体３１は、図６に示すように、蓋体本体３２にカバー３３を組み付けて形成した内部空間に、制御回路を設けたプリント配線基板３４を配置してある。前記カバー３３は、その上面中央に表示孔３３ａを設けてある。そして、前記プリント配線基板３４のうち、前記表示孔３３ａの直下に位置する領域に光源３５を設けてある。さらに、前記表示孔３３ａの隣接する位置に押しボタンスイッチ３３ｂ（図９）を配置してある。前記カバー３３の表面は透光性を有する化粧シート３６で被覆されている。
【００１７】
また、前記蓋体本体３２には、図９に示すように、その外周面のうち、対向する位置に楕円形の嵌合凹部３２ａと電源接続孔３２ｂとを設けてある。そして、前記嵌合凹部３２ａの底面には、図１０に示すように、通気孔３２ｃを設けてある。前記通気孔３２ｃは、図１１に示すように、その外部側の開口縁部に環状の面取り部３２ｄを形成してある。さらに、前記通気孔３２ｃには、後述するシール栓５０のシール栓本体５１が圧入されている。
前記蓋体本体３２には、図７および図８に示すように、その底面の外周縁部に雄ねじ部３２ｅを形成してある。また、前記蓋体本体３２の底面と、前記蓋体本体３２の底面に組み付けた脱落防止部材３７とで、シート状の脱臭剤３８が挟持されている。前記脱落防止部材３７は所定のピッチで形成された格子部３７ａを有している。また、前記脱臭剤３８は、発生したガスの臭気を除去するものである。このため、使用者はタンブラー２０から蓋体３１を取り外した際に異臭を感じることはない。
【００１８】
水素水生成機本体４０は、図２に示すように、前記プリント配線基板３４に電気接続された一対の導電脚部４１，４２の下端に、ガス発生部４３を接続してある。さらに、前記蓋体３１の底面には、前記導電脚部４１，４２に沿って延在するようにガイドカバー４４を組み付けてある。前記ガイドカバー４４は、発生したガスを所定の位置に誘導するためのものである。
【００１９】
前記ガス発生部４３は、図６に示すように、固体高分子の電解膜４５を、上側電極４６と下側電極４７とで挟持したものである。そして、前記上側電極４６と下側電極４７とは、一対の前記導電脚部４１，４２にそれぞれ電気接続されている。
【００２０】
前記シール栓５０は、図１２ないし図１４に示すように、シール性に優れた弾性材、例えば、シリコンゴム，天然ゴム等で形成されている。前記シール栓５０は、シール栓本体５１の一端部に鍔部５２を一体成形した断面略Ｔ字形状を有している。そして、前記シール栓本体５１は、その外周面にガス抜き溝５３を軸心方向に沿って設けてある。
【００２１】
次に、本願発明に係る水素水生成器１０の使用方法ついて説明する。
まず、タンブラー２０に所定量の水１１を注入した後、前記タンブラー２０の雌ねじ部２７に前記蓋体３１の雄ねじ部３２ｅを螺合する。これにより、図３に示すように、蓋体本体３２とタンブラー２０とでシール部材３９が挟持され、密封されたハウジングが形成される。そして、水１１中に前記水素水生成機本体４０のガス発生部４３が浸漬される。
【００２２】
そして、前記蓋体３１の電源接続孔３２ｂに図示しない外部電源を接続し、前記蓋体３１に設けた押しボタンスイッチ３３ｂを押すと、ガス発生部４３が電気分解を開始する。これと同時に、前記表示孔３３ａの下方側に配置した光源３５が点灯するので、水素水生成中であることを表示孔３３ａから確認できる。なお、前記光源３５は、電気分解に要する所定の時間が経過すると、自動的に消灯する。
【００２３】
ガス発生部４３による電気分解で生じたガスのうち、大部分の水素ガスは水中に溶存し、水素水が得られる。一方、電気分解で生じた水素以外の酸素等のガスのうち、未溶解のガスは未溶解の水素ガスと共に、タンブラー２０内に溜まるとともに、脱臭剤３８によって臭気が除去される。
【００２４】
タンブラー２０の内部圧力が所定圧力に達すると、図１１に示すように、シール栓５０が外方に押され、通気孔３２ｃ内をスライド移動する。このため、ガス抜き溝５３が環状の面取り部３２ｄを介して外部に連通し、内部に溜まったガスがガス抜き溝５３を介して外部に放出される。この結果、水素水が完成した後、タンブラー２０から蓋体３１を外しても、内部に溜まったガスが急激に噴出することがなく、使用者が異臭を感じることもない。
なお、押し出されたシール栓５０を内部に押し戻しておけば、水素水生成器１０が転倒しても、水素水が外部に漏れ出すこともない。
【００２５】
本発明に係る第２実施形態は、図１５ないし図１７に図示するように、前述の第１実施形態とほぼ同様である。そして、異なる点は、シール栓本体５１に設けたガス抜き溝５３の両端を、閉成した点である。同一部分には同一番号を附して説明を省略する。
本実施形態によれば、シール栓５０がスライド移動し、ガス抜き溝５３がハウジングの内部と外部とを連通させた場合に、ガスを外部に放出したときであっても、タンブラー２０内の水素水が、漏れにくいという利点がある。
【００２６】
本発明に係る第３実施形態は、図１８ないし図２０に図示するように、前述の第１実施形態とほぼ同様である。そして、異なる点は、シール栓本体５１の鍔部５２を設けた一端部と反対側の他端部に、抜け止め部５４を設けた点である。
本実施形態によれば、内部のガス圧が高くなり、シール栓５０が高い内部圧力で押し出された場合であっても、抜け止め部５４が通気孔３２ｃの内部側の開口縁部に係止する。このため、シール栓５０が蓋体３１から脱落しないという利点がある。
【００２７】
本発明に係る第４実施形態は、図２１ないし図２３に図示するように、前述の第１実施形態とほぼ同様である。そして、異なる点は、一端部に鍔部５２を設けたシール栓本体５１の他端部に、抜け止め部５４を設け、さらに、シール栓本体５１および抜け止め部５４に、連続するガス抜き溝５３を設けた点である。
本実施形態によれば、内部のガスを放出しやすいとともに、シール栓５０が蓋体３１から脱落しないという利点がある。
【００２８】
なお、外部電源に接続するガス溶存水生成器に適用する場合に限らず、乾電池あるいは２次電池を内蔵するガス溶存水生成器に適用してもよいことは勿論である。
また、前記ガス抜き溝は、シール栓本体の外周面に少なくとも１本設けてあればよく、複数本のガス抜き溝を設けてもよい。
さらに、前記ガス抜き溝は、前記シール栓本体の外周面に軸心に沿って直線状に設ける場合に限らず、例えば、シール栓本体の外周面に沿って螺旋状に設けてもよい。
【産業上の利用可能性】
【００２９】
前述の実施形態では、前記水素水生成器に適用する場合について説明したが、水素水生成器以外の他のガス溶存水生成器、例えば、オゾン水生成器に適用してもよいことは勿論である。
【符号の説明】
【００３０】
１０  水素水生成器
１１  水
２０  タンブラー
２１  外容器
２２  雌ねじ部
２５  内容器
２６  雄ねじ部
３０  水素水生成機
３１  蓋体
３２  蓋体本体
３２ａ  嵌合凹部
３２ｃ  通気孔
３２ｄ  面取り部
３３  カバー
３４  プリント配線基板
３５  光源
３６  化粧シート
３７  脱落防止部材
３８  脱臭剤
３９  シール部材
４０  水素水生成機本体
４１  導電脚部
４２  導電脚部
４３  ガス発生部
４４  ガイドカバー
４５  電解膜
４６  上側電極
４７  下側電極
５０  シール栓
５１  シール栓本体
５２  鍔部
５３  ガス抜き溝
５４  抜け止め部
【図１】
2017170417.tif 000003
【図２】
2017170417.tif 000004
【図３】
2017170417.tif 000005
【図４】
2017170417.tif 000006
【図５】
2017170417.tif 000007
【図６】
2017170417.tif 000008
【図７】
2017170417.tif 000009
【図８】
2017170417.tif 000010
【図９】
2017170417.tif 000011
【図１０】
2017170417.tif 000012
【図１１】
2017170417.tif 000013
【図１２】
2017170417.tif 000014
【図１３】
2017170417.tif 000015
【図１４】
2017170417.tif 000016
【図１５】
2017170417.tif 000017
【図１６】
2017170417.tif 000018
【図１７】
2017170417.tif 000019
【図１８】
2017170417.tif 000020
【図１９】
2017170417.tif 000021
【図２０】
2017170417.tif 000022
【図２１】
2017170417.tif 000023
【図２２】
2017170417.tif 000024
【図２３】
2017170417.tif 000025